(57)【要約】【課題】表示部の、映像を表示するために使用される光学部材が汚れにくいヘッドマウントディスプレイを提供する。【解決手段】表示部６の筐体中には映像表示光学系７が設けられ、表示部６の筐体の映像表示光学系７の前面に対応する表面には穴が空いている。そして、この穴を塞ぐことができるシャッタ８が設けられている。シャッタ８が閉じると、表示部６は密閉状態となる。また、ディスプレイアーム取り付け部４の中には、ディスプレイアーム５の回動位置を示すセンサ９が設けられており、このセンサ９の出力は、ディスプレイアーム５の回動位置が、表示部６が眼の近傍にあるような位置である場合にオンとなる。表示部６が頭頂部に位置するような状態では、シャッタ８は閉となっており、頭髪やゴミが映像表示光学系７の表面に接触したり付着したりすることがないようにされている。【選択図】  図１
2007243788.tif 000002
【特許請求の範囲】
【請求項１】
頭部に装着され、眼に映像を表示する表示部を有するヘッドマウントディスプレイであって、前記表示部の光学系の射出面を覆うことが可能なシャッタを有することを特徴とするヘッドマウントディスプレイ。
【請求項２】
前記表示部が、使用者の眼前に位置しているかどうかを検出する検出器を有し、前記表示部が使用者の眼前に位置している場合にのみ、前記シャッタを開とする機能を有することを特徴とする請求項１に記載のヘッドマウントディスプレイ。
【請求項３】
前記表示部に映像を表示しているときのみ、前記シャッタを開とする機能を有することを特徴とする請求項１に記載のヘッドマウントディスプレイ。
【請求項４】
頭部に装着され、眼に映像を表示する表示部を有するヘッドマウントディスプレイであって、前記映像を表示するために使用される光学部材のうち、最表面に位置する光学部材の表面に、光触媒コーティングが施されていることを特徴とするヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１号公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。
【特許文献１】ＷＯ２００４／０６１５１９Ａ１号公報
【発明の開示】
【発明が解決しようとする課題】
【０００４】
これらのヘッドマウントディスプレイにおいては、使用を重ねる毎に、眼に映像を表示する表示部の、映像を表示する光学部材の表面が汚れるという問題点がある。特に、ヘッドホーンにディスプレイアームを設け、ディスプレイアームの先端部に表示部を設けて、ディスプレイアームを前後に移動させたり、ヘッドホーンの周りに回動させ、それにより表示部の位置を変える方式のヘッドマウントディスプレイにおいては、表示部を移動する際に、使用者が表示部を手で触り、それにより光学部材の最表面に汚れが付着すると言う問題点がある。
【０００５】
さらには、ヘッドマウントディスプレイの表示部に映像を表示させず、表示部を頭頂部に位置させた状態で、単なるヘッドホーンとして使用することも考えられ、このような場合には、表示部の光学系の最表面に頭髪が接触して汚れが付着するという問題点もある。
【０００６】
本発明はこのような事情に鑑みてなされたもので、表示部の、映像を表示するために使用される光学部材が汚れにくいヘッドマウントディスプレイを提供することを課題とする。
【課題を解決するための手段】
【０００７】
前記課題を達成するための第１の手段は、頭部に装着され、眼に映像を表示する表示部を有するヘッドマウントディスプレイであって、前記表示部の光学系の射出面を覆うことが可能なシャッタを有することを特徴とするヘッドマウントディスプレイである。
【０００８】
本手段においては、表示部の光学系の射出面（前面つまり眼側）を覆うことが可能なシャッタを有しているので、表示部を使用しないときシャッタを閉めておくことにより、表示部の光学部材が汚れることを防止できる。
【０００９】
前記課題を解決するための第２の手段は、前記第１の手段であって、前記表示部が、使用者の眼前に位置しているかどうかを検出する検出器を有し、前記表示部が使用者の眼前に位置している場合にのみ、前記シャッタを開とする機能を有することを特徴とするものである。
【００１０】
シャッタは、手動で開閉するようにしてもよいが、表示部の位置を検出し、表示部が使用者の眼前に位置している場合にのみ、シャッタを開とすることにより、より確実に、表示部の光学部材が汚れることを防止できる。
【００１１】
前記課題を解決するための第３の手段は、前記第１の手段であって、前記表示部に映像を表示しているときのみ、前記シャッタを開とする機能を有することを特徴とするものである。
【００１２】
本手段においては、表示部に映像を表示しているときのみ、シャッタを開とするので、より確実に、表示部の光学部材が汚れることを防止できる。又、前記第２の手段のように、特別のセンサを必要としない。
【００１３】
前記課題を解決するための第４の手段は、頭部に装着され、眼に映像を表示する表示部を有するヘッドマウントディスプレイであって、前記映像を表示するために使用される部材のうち、最表面に位置する部材の表面に、光触媒コーティングが施されていることを特徴とするヘッドマウントディスプレイである。
【００１４】
本手段においては、映像を表示するために使用される部材のうち、最表面に位置する部材の表面に、光触媒コーティングが施されているので、その表面に汚れが付いたとしても、光触媒コーティングにより分解され、汚れが付いたままになることを防止することができる。なお「光触媒コーティング」とは、光が当たることによって有機物を分解する作用を有する触媒のことで、酸化チタンが代表的なものである。
【発明の効果】
【００１５】
本発明によれば、表示部の、映像を表示するために使用される光学部材が汚れにくいヘッドマウントディスプレイを提供することができる。
【発明を実施するための最良の形態】
【００１６】
以下、本発明の実施の形態の例を、図を用いて説明する。図１は、本発明の実施の形態の一例である、ヘッドマウントディスプレイを頭部に装着した概要を示す図である。このヘッドマウントディスプレイは、ヘッドバンド１と、２つのヘッドホーン２、３を有しており、２つのヘッドホーン２、３が、ヘッドバンド１で連結されている。ヘッドバンド１は弾性を有し、ヘッドホーン２、３で両耳を挟むことによりヘッドマウントディスプレイを頭部に固定する。すなわち、ヘッドバンド１とヘッドホーン２、３が固定部となっている。
【００１７】
１つのヘッドホーン２には、ディスプレイアーム取り付け部４が、ヘッドホーン２に対して回動可能に取り付けられており、ディスプレイアーム取り付け部４には、ディスプレイアーム５が装着時の前後方向に摺動可能に取り付けられている。ディスプレイアーム５の先端部には表示部６が設けられている。ディスプレイアーム５の先端部は、表示部６の使用時において、顔面と平行になるように湾曲している。
【００１８】
ディスプレイアーム取り付け部４をヘッドホーン２に対して回動させて、表示部６の上下方向の位置合わせをすると共に、ディスプレイアーム５をディスプレイアーム取り付け部４に対して前後方向に摺動させて表示部６と眼の間隔を調整する。表示部６を使用せず、ヘッドマウントディスプレイを単なるヘッドホーンとして使用する場合には、ディスプレイアーム取り付け部４をヘッドホーン２の周りに回動させ、図１に２点鎖線で示すように、表示部６を頭頂部に位置させた状態で使用する。
【００１９】
表示部６の筐体中には映像表示光学系７が設けられ、表示部６の筐体の映像表示光学系７の前面に対応する表面には穴が空いている。そして、この穴を塞ぐことができるシャッタ８が設けられている。シャッタ８が閉じると、表示部６は密閉状態となる。また、ディスプレイアーム取り付け部４の中には、ディスプレイアーム５の回動位置を示すセンサ９が設けられており、このセンサ９の出力は、ディスプレイアーム５の回動位置が、表示部６が眼の近傍にあるような位置である場合にオンとなる。そして、このセンサの出力がオンとなると、シャッタ８が開となり、映像表示光学系７が眼に対面するようになる。一方、表示部６が頭頂部に位置するような状態では、シャッタ８は閉となっており、頭髪やゴミが映像表示光学系７の表面に接触したり付着したりすることがないようにされている。
【００２０】
ところで、シャッタ８の開閉は、表示部６に映像を表示しているとき開となり、そうでないとき閉となるようにしてもよい。又、手動で開閉できるようにしてもよいことは言うまでもない。
【００２１】
このようなシャッタ機構を設けず、又はこのようなシャッタ機構を設けた上で更に、映像表示光学系７の最表面に位置する光学素子（レンズがむき出しになっている場合はレンズ、その前に保護ガラス等が設けられている場合は、保護ガラス等）の表面に、酸化チタン等からなる光触媒をコーティングするようにしてもよい。光触媒は、光を受けると酸化反応等の反応を発生させ、表面に付着した有機物等を分解するので、光学素子の表面に汚れが付着した場合においても、光が当たることにより、自然に汚れが分解され、光学素子の表面が清浄に保たれる。
【図面の簡単な説明】
【００２２】
【図１】本発明の実施の形態の一例である、ヘッドマウントディスプレイを頭部に装着した概要を示す図である。
【符号の説明】
【００２３】
１…ヘッドバンド、２…ヘッドホーン、３…ヘッドホーン、４…ディスプレイアーム取り付け部、５…ディスプレイアーム、６…表示部、７…映像表示光学系、８…シャッタ、９…センサ
【図１】
2007243788.tif 000003